(57)【要約】【課題】施肥装置へ補充する肥料が入った肥料収容体を好適に積載できる水田作業機を提供する。【解決手段】走行機体１３と、走行機体１３に配置された運転座席と、運転座席の後方側に位置する後部ステップ２６と、後部ステップ２６の上方側に位置する施肥装置１８と、後部ステップ２６の横隣に位置し、施肥装置１８へ補充する肥料が入った肥料袋Ｂを載置可能な載置台４１と、が備えられている。【選択図】図３
2015107077.tif 000002
【特許請求の範囲】
【請求項１】
走行機体と、
前記走行機体に配置された運転座席と、
前記運転座席の後方側に位置する後部ステップと、
前記後部ステップの上方側に位置する施肥装置と、
前記後部ステップの横隣に位置し、前記施肥装置へ補充する肥料が入った肥料収容体を載置可能な載置台と、が備えられた水田作業機。
【請求項２】
前記後部ステップの横隣に位置する手摺りが備えられ、
前記載置台が、前記手摺りに支持されるように構成されている請求項１に記載の水田作業機。
【請求項３】
前記載置台が、前記手摺りに対して着脱自在とされている請求項２に記載の水田作業機。
【請求項４】
前記載置台が、端部を突き合わせたループ状のパイプフレームと、前記パイプフレームに支持され、前記肥料収容体を載置可能な載せ面と、を有する請求項２または３に記載の水田作業機。
【請求項５】
前記載置台を前記手摺りに取り付ける取付具が備えられ、
前記パイプフレームにおいて前記載せ面とは反対側に前記取付具が位置するように構成されている請求項４に記載の水田作業機。
【請求項６】
前記手摺りに対して連結部で連結される機体左右向きのフレームを有し、
前記連結部が、前記載置台を前記手摺りに取り付ける際の前記取付具の位置決めの目印となるように構成されている請求項５に記載の水田作業機。
【請求項７】
前記載置台の上部が、前記手摺りの上下中央箇所近傍に位置するように構成されている請求項２乃至６のいずれか一項に記載の水田作業機。
【請求項８】
前記後部ステップの前方下側に位置する搭乗ステップと、
前記搭乗ステップの横側方に位置する燃料補給口を有する燃料タンクと、が備えられ、
前記燃料補給口が、前記載置台の横外端部よりも機体内側に配置されている請求項１乃至７のいずれか一項に記載の水田作業機。
【請求項９】
走行機体と、
前記走行機体に配置された運転座席と、
前記運転座席の後方側に位置する後部ステップと、
前記後部ステップの上方側に位置する施肥装置と、
前記後部ステップの横隣に位置し、前記施肥装置へ補充する肥料が入った肥料収容体を載置可能な載置台と、
前記後部ステップの横隣に位置する手摺りと、が備えられ、
前記載置台が、前記手摺りに支持されるように構成されており、
前記載置台が、前記手摺りに対して着脱自在とされており、
前記載置台が、端部を突き合わせたループ状のパイプフレームと、前記パイプフレームに支持され、前記肥料収容体を載置可能な載せ面と、を有し、
前記載置台を前記手摺りに取り付ける取付具が備えられ、
前記パイプフレームにおいて前記載せ面とは反対側に前記取付具が位置するように構成されており、
前記手摺りに対して連結部で連結される機体左右向きのフレームを有し、
前記連結部が、前記載置台を前記手摺りに取り付ける際の前記取付具の位置決めの目印となるように構成されており、
前記載置台の上部が、前記手摺りの上下中央箇所近傍に位置するように構成されており、
前記後部ステップの前方下側に位置する搭乗ステップと、
前記搭乗ステップの横側方に位置する燃料補給口を有する燃料タンクと、が備えられ、
前記燃料補給口が、前記載置台の横外端部よりも機体内側に配置されている水田作業機。
【発明の詳細な説明】
【技術分野】
【０００１】
本発明は、走行機体と、走行機体に配置された運転座席と、運転座席の後方側に位置する後部ステップと、後部ステップの上方側に位置する施肥装置と、が備えられた水田作業機に関する。
【背景技術】
【０００２】
例えば特許文献１に従来の水田作業機が記載されている。特許文献１に記載された水田作業機は、走行機体の走行に伴い、走行機体の後部に位置する施肥装置によって圃場へ肥料の供給を行うように構成されている。
【先行技術文献】
【特許文献】
【０００３】
【特許文献１】特開２００８−２７８７６５号公報
【発明の概要】
【発明が解決しようとする課題】
【０００４】
従来の水田作業機では、圃場への肥料の散布量が多い場合等には、作業途中で施肥装置に肥料切れが生じることがあった。このため、施肥装置へ補充する肥料が入った肥料収容体を積載しておくことが望ましい。しかし、従来の水田作業機には、肥料収容体を積載するための好適なスペースがなく、搭乗ステップ等に肥料収容体を載置しておくと、作業者にとって邪魔になる場合があった。
【０００５】
上記課題に鑑み、施肥装置へ補充する肥料が入った肥料収容体を好適に積載できる水田作業機の提供が望まれていた。
【課題を解決するための手段】
【０００６】
本発明における第一発明の水田作業機は、走行機体と、前記走行機体に配置された運転座席と、前記運転座席の後方側に位置する後部ステップと、前記後部ステップの上方側に位置する施肥装置と、前記後部ステップの横隣に位置し、前記施肥装置へ補充する肥料が入った肥料収容体を載置可能な載置台と、が備えられたものである。
【０００７】
[作用効果１]
第一発明によると、運転座席の後方側に位置する後部ステップの横隣に位置する載置台に、施肥装置へ補充する肥料が入った肥料収容体を載置可能である。このため、運転座席の斜め後方側という、運転座席に着座した作業者にとって邪魔にならない箇所に肥料収容体を積載できる。これにより、施肥装置内の肥料が少なくなってくると、肥料収容体から施肥装置へ肥料の補充が可能となり、作業途中での施肥装置の肥料切れを生じにくくできる。しかも、運転座席の後方側において、載置台が後部ステップの横隣に位置し、かつ、施肥装置が後部ステップの上方側に位置しているので、運転座席、載置台、施肥装置が比較的近い位置関係にある。このため、施肥装置内の肥料が減少してくると、運転座席に着座していた作業者が、積載している肥料収容体から施肥装置へ肥料の補充を迅速に行うことができる。このように、本発明によれば、施肥装置へ補充する肥料が入った肥料収容体を好適に積載できる。
【０００８】
上記構成において、前記後部ステップの横隣に位置する手摺りが備えられ、前記載置台が、前記手摺りに支持されるように構成されていると好適である。
【０００９】
[作用効果２]
本構成によれば、後部ステップの横隣に位置する手摺りを有効活用して、肥料収納体を載置可能な載置台を支持させることができる。また、肥料収容体の近くに手摺りが位置することになるので、作業者が、手摺りで身体を支えながら、肥料収納体から施肥装置へ肥料を補充できる。
【００１０】
上記構成において、前記載置台が、前記手摺りに対して着脱自在とされていると好適である。
【００１１】
[作用効果３]
本構成によれば、必要に応じて、手摺りに取り付けた載置台を取り外すことができる。このため、施肥装置に肥料の補充が必要ないときには、載置台を取り外しておくと、機体横方向への出っ張りを抑えることができる。また、機体重量が軽量化されるので、燃費等の点で有利となる。
【００１２】
上記構成において、前記載置台が、端部を突き合わせたループ状のパイプフレームと、前記パイプフレームに支持され、前記肥料収容体を載置可能な載せ面と、を有すると好適である。
【００１３】
[作用効果４]
本構成によれば、載置台を、端部を突き合わせたパイプフレームに、肥料収容体を載置可能な載せ面を支持するように構成してあるから、パイプフレームを構成するパイプ材の端部に肥料収容体が接触して破損するような事態を防止できる。さらに、ループ状のパイプフレームであるため好適な強度を有しており、比較的重量が大きな肥料収容体であっても、パイプフレームに支持された載せ面に安定して載置可能な載置台となる。
【００１４】
上記構成において、前記載置台を前記手摺りに取り付ける取付具が備えられ、前記パイプフレームにおいて前記載せ面とは反対側に前記取付具が位置するように構成されていると好適である。
【００１５】
[作用効果５]
本構成によれば、取付具によって載置台が手摺りに取り付けられる。この取付具は、パイプフレームにおいて肥料収容体を載置する載せ面とは反対側に位置するようにしてあるので、肥料収容体が取付具と接触して破損することを防止できる。
【００１６】
上記構成において、前記手摺りに対して連結部で連結される機体左右向きのフレームを有し、前記連結部が、前記載置台を前記手摺りに取り付ける際の前記取付具の位置決めの目印となるように構成されていると好適である。
【００１７】
[作用効果６]
本構成によれば、手摺りには、機体左右向きのフレームが連結部によって連結されている。この連結部を、載置台を手摺りに取り付ける際の取付具の位置決めの目印として利用できる。このため、取付具を容易に位置決めでき、手摺りに対する載置台の組み付けが行い易くなる。
【００１８】
上記構成において、前記載置台の上部が、前記手摺りの上下中央箇所近傍に位置するように構成されていると好適である。
【００１９】
[作用効果７]
本構成によれば、手摺りの上下中央箇所近傍に位置する載置台の上部に、肥料収容体をもたれ掛けさせて支持できる。例えば、肥料収容体が柔軟性を有する素材からなる肥料袋である場合、肥料袋が変形して倒れようとしても、手摺りの上下中央箇所近傍に位置する載置台の上部に肥料袋がもたれ掛かって支持されるので、載置台上で肥料袋が倒れることを防止できる。
【００２０】
上記構成において、前記後部ステップの前方下側に位置する搭乗ステップと、前記搭乗ステップの横側方に位置する燃料補給口を有する燃料タンクと、が備えられ、前記燃料補給口が、前記載置台の横外端部よりも機体内側に配置されていると好適である。
【００２１】
[作用効果８]
本構成によれば、燃料タンクの燃料補給口が、後部ステップの前方下側に位置する搭乗ステップの横側方に位置しており、このような燃料補給口の位置を考慮して、載置台を、燃料補給口に対する給油作業の邪魔にならない箇所に配置できる。そして、燃料補給口が、載置台の横外端部よりも機体内側に配置されているので、載置台によって機体横外側から接近する障害物から燃料補給口を保護できる。
【００２２】
本発明における第二発明の水田作業機は、走行機体と、前記走行機体に配置された運転座席と、前記運転座席の後方側に位置する後部ステップと、前記後部ステップの上方側に位置する施肥装置と、前記後部ステップの横隣に位置し、前記施肥装置へ補充する肥料が入った肥料収容体を載置可能な載置台と、前記後部ステップの横隣に位置する手摺りと、が備えられ、前記載置台が、前記手摺りに支持されるように構成されており、前記載置台が、前記手摺りに対して着脱自在とされており、前記載置台が、端部を突き合わせたループ状のパイプフレームと、前記パイプフレームに支持され、前記肥料収容体を載置可能な載せ面と、を有し、前記載置台を前記手摺りに取り付ける取付具が備えられ、前記パイプフレームにおいて前記載せ面とは反対側に前記取付具が位置するように構成されており、前記手摺りに対して連結部で連結される機体左右向きのフレームを有し、前記連結部が、前記載置台を前記手摺りに取り付ける際の前記取付具の位置決めの目印となるように構成されており、前記載置台の上部が、前記手摺りの上下中央箇所近傍に位置するように構成されており、前記後部ステップの前方下側に位置する搭乗ステップと、前記搭乗ステップの横側方に位置する燃料補給口を有する燃料タンクと、が備えられ、前記燃料補給口が、前記載置台の横外端部よりも機体内側に配置されているものである。
【００２３】
第二発明によると、上記した[作用効果１]〜［作用効果８］と同様の作用効果を奏する。
【図面の簡単な説明】
【００２４】
【図１】乗用型田植機の右側面図。
【図２】乗用型田植機の平面図。
【図３】載置台の周辺の斜視図。
【図４】載置台の周辺の平面図。
【図５】取付具の一例である挟持具の周辺の説明図であり、（ａ）は、挟持具と手摺り等との関係を示す一部断面図、（ｂ）は、挟持具と連結部との関係を示す略正面図。
【図６】載置台及び施肥装置の周辺の右側面図。
【図７】施肥装置の正面図。
【図８】施肥装置の正面断面図。
【図９】施肥装置の平面図。
【図１０】仕切り部材の周辺の正面断面図。
【図１１】倒れ防止フレームの周辺の平面図。
【図１２】倒れ防止フレームの周辺の右側視の一部断面図。
【図１３】別実施形態における施肥装置の正面断面図。
【図１４】別実施形態における施肥装置の平面図。
【発明を実施するための形態】
【００２５】
以下、本発明を「水田作業機」の一例である乗用型田植機に利用した実施形態を、図面に基づいて説明する。
〔乗用型田植機の概略構成〕
図１、図２に示されるように、乗用型田植機には、左右一対の前輪１１及び左右一対の後輪１２により四輪駆動式に構成された走行機体１３の後部に、油圧シリンダ１４で駆動される平行四連リンク構造のリンク機構１５を介して苗の植え付けを行う苗植付装置１６を昇降自在に連結した基本構造が備えられている。走行機体１３上には、苗植付装置１６の前方に、作業者が操縦を行う運転操縦部１７が配置されている。また、走行機体１３の後部には、貯留している肥料を圃場へ供給する施肥装置１８が備えられている。走行機体１３の前部における左右両側には、予備苗載せ台１９が立設されている。
【００２６】
苗植付装置１６は、６条植え仕様に構成されており、苗載せ台１６ａ、苗植付機構１６ｂ、接地フロート１６ｃ等が備えられている。苗載せ台１６ａは、６条分のマット状の苗を並列載置して一定ストロークで往復横移動する。苗植付機構１６ｂは、６つ備えられており、苗載せ台１６ａの下端から１株分ずつ苗を切り出して田面に押し込むように構成されている。接地フロート１６ｃは、田面の苗植付箇所を均平化するように並列配置されている。
【００２７】
運転操縦部１７には、作業者が着座する運転座席２０と、操舵操作用のステアリングホイール２１等が備えられている。運転座席２０の足元に位置する箇所には搭乗ステップ２２が備えられている。搭乗ステップ２２は、板金プレス材で構成されている。搭乗ステップ２２の左右両側には、拡張ステップ２３が連設されている。拡張ステップ２３は、樹脂材で透視可能なスノコ状に構成されている。拡張ステップ２３は、走行機体１３から横外方に張り出し配置された丸パイプ製の支持フレーム（不図示）に連結支持されている。左右の拡張ステップ２３を連結する支持フレームの後方寄りの箇所には、乗降ステップ２５が備えられている。運転座席２０及び搭乗ステップ２２の後方側には、後部ステップ２６が備えられている。
【００２８】
図１に示されるように、後部ステップ２６は、搭乗ステップ２２及び拡張ステップ２３よりも段差部を介して一段高い位置にあり、後部ステップ２６の前方下側に、搭乗ステップ２２及び拡張ステップ２３が位置している。搭乗ステップ２２及び拡張ステップ２３の下側には、燃料タンク２７が配置されている。燃料タンク２７は、機体フレーム２８に支持されている。燃料タンク２７は、燃料補給口２７ａを有している。燃料補給口２７ａは、搭乗ステップ２２の横側方に位置している。
【００２９】
施肥装置１８は、後部ステップ２６の上方側に位置している。施肥装置１８には、肥料を貯留する透明樹脂製の容器である機体横方向に長い一つのホッパ２９と、ホッパ２９の下側に配置された繰り出し装置３０と、が備えられている。図１、図３、図６に示されるように、繰り出し装置３０は、機体フレーム２８の上部に設けられた、機体左右向きの支持枠３１（「フレーム」の一例）に支持されている。ホッパ２９は、繰り出し装置３０上に載置されている。図２、図７、図８に示されるように、繰り出し装置３０には、左右に並んだ４つの繰り出し機構３２が備えられている。各繰り出し機構３２には、それぞれ一対の繰り出し部３３が備えられている。
【００３０】
図２に示されるように、４つの繰り出し機構３２には、送風ダクト３２ａを介してブロワ３２ｂが接続されている。図２、図７、図８に示されるように、４つの繰り出し機構３２のうち２つの繰り出し機構３２には、それぞれ、２本の施肥ホース３２ｃが接続され、他の２つの繰り出し機構３２には、それぞれ、１本の施肥ホース３２ｃが接続されている。６本の施肥ホース３２ｃは、各繰り出し機構３２から苗植付装置１６まで延出されている。６本の施肥ホース３２ｃの延出端部に作溝器３２ｄが一つずつ接続されている。合計６つの作溝器３２ｄは、６つの苗植付機構１６ｂの横側方に一つずつ位置する配置で苗植付機構１６ｂに装備されている。各作溝器３２ｄは、接地フロート１６ｃに支持されている。各作溝器３２ｄは、圃場面の苗植え箇所の横側箇所に溝を形成し、形成した溝に、施肥ホース３２ｃからの肥料を落下させる。
【００３１】
このように、施肥装置１８は、ホッパ２９に貯留された肥料を各繰り出し機構３２によってホッパ２９から繰り出し、各繰り出し機構３２が繰り出した肥料を、ブロワ３２ｂから送風ダクト３２ａを介して、各作溝器３２ｄによって、圃場における苗植付機構１６ｂによる苗植え箇所の横側箇所に供給する。
【００３２】
〔手摺り〕
図２に示されるように、後部ステップ２６の横隣には、左右両側に手摺り３４が備えられている。図１、図６に示されるように、手摺り３４は、機体フレーム２８に支持されている。図３、図４に示されるように、手摺り３４は、丸パイプ材を折り曲げて形成されている。手摺り３４は、機体フレーム２８に連結される横向きの前横部３５と、前横部３５の横外端部から上方に延びる前縦部３６と、前縦部３６の上端から前後向きで後方へ延びる上部３７と、上部３７の後端から下方に延びる後縦部３８と、後縦部３８の下端から機体内向きに延びる横向きの後横部３９と、を有している。手摺り３４と後部ステップ２６との間には、左右横方向に開放された空間である開放部Ｓ１がある。
【００３３】
図２等から理解されるように、前縦部３６は、作業者が乗降ステップ２５を利用して機体横から乗り降りする場合に利用できるとともに、苗載せ台１６ａへの苗補給のために、搭乗ステップ２２や拡張ステップ２３から後部ステップ２６に乗り上がる際の身体の支えに使用することができる。図１、図３、図６等から理解されるように、上部３７は、後部ステップ２６の横外側上方位置において、後部ステップ２６に乗り上がった作業者の膝よりも高い位置に配置されている。上部３７は、作業者が後部ステップ２６に乗り上がる際の身体の支えに使用することができる。また、上部３７は、後部ステップ２６の作業者が腿等の身体の一部を当て付けて体勢を安定保持することに用いることができ、苗載せ台１６ａにおける最外端条の苗載部への苗補給が容易となる。
【００３４】
図３、図６、図１２に示されるように、手摺り３４の後縦部３８における上下中央部位付近には、箱状の連結部４０が固定されている。連結部４０には、機体左右向きの支持枠３１の端部が連結されている。
【００３５】
〔載置台〕
図１〜図４、図６、図１１に示されるように、後部ステップ２６の右横隣側には、施肥装置１８のホッパ２９へ補充する肥料が入れられている肥料袋Ｂ（「肥料収容体」の一例）を載置可能な載置台４１が配置されている。肥料袋Ｂは、柔軟性を有する素材で構成されている。載置台４１は、苗植付装置１６よりも前方に配置されている。載置台４１は、右側の手摺り３４の外側に支持されるように構成されている。載置台４１は、右側の手摺り３４の横外側に配置されている。載置台４１は、２つの丸パイプ材を折り曲げて端部同士を突き合わせて連結したループ状の形状のパイプフレーム４２と、パイプフレーム４２に支持され、肥料袋Ｂを載置して支持可能な平板状の載せ面４３と、を有する。
【００３６】
図３、図４、図６に示されるように、パイプフレーム４２は、走行機体１３の横外端部に位置する前後方向に沿った前後部４４、前後部４４の前端から内向きに屈曲された横向きの前横部４５、前横部４５の内端から斜め後方向きに屈曲された前後傾斜部４６、前後傾斜部４６の後端から上方へ延びる縦向きの前縦部４７、前縦部４７の上端から後方へ延びる横向きの上部４８、上部４８の後端から下方へ延びる後縦部４９、後縦部４９から横外向きに延び、前後部４４の後端へと連なる左右横向きの後横部５０、を有している。パイプフレーム４２と載せ面４３との間には、左右横方向に開放された空間である開放部Ｓ２がある。
【００３７】
図１、図３に示されるように、載置台４１の上部に相当するパイプフレーム４２の上部４８は、手摺り３４の上下中央箇所近傍に位置するように構成されている。このため、肥料袋Ｂ内の肥料が減少してきて、肥料袋Ｂ内の肥料の上面の高さが、手摺り３４の上部３７よりも低くなった場合であっても、肥料袋Ｂが載置台４１のパイプフレーム４２の上部４８によって横側方から支持される。このため、肥料袋Ｂが開放部Ｓ１側へ倒れ込むことを防止できる。
【００３８】
〔手摺りと載置台との関係〕
図１、図６に示されるように、側面視で、手摺り３４の前縦部３６と、載置台４１におけるパイプフレーム４２の前縦部４７とは重複するように構成されている。また、側面視で、手摺り３４の後縦部３８と、載置台４１におけるパイプフレーム４２の後縦部４９とは重複するように構成されている。
【００３９】
〔挟持具〕
図３、図４、図５、図６に示されるように、載置台４１は、金属製でＵ字形状の複数の挟持具５１（「取付具」の一例）によって手摺り３４に取り付けられる。挟持具５１は、前縦部３６に１つ固定されており、後縦部３８に上下に並んで２つ固定されている。載置台４１は、これら３つの挟持具５１によって右側の手摺り３４に対して着脱自在に取り付けられている。図５（ａ）から理解されるように、各挟持具５１は、一対の挟持部５１ａの間に、手摺り３４を挟み込み、ボルト・ナット等の締結具５１ｂで締め付けることにより、載置台４１のパイプフレーム４２を手摺り３４に取り付けるように構成されている。挟持具５１は、パイプフレーム４２において載せ面４３とは反対側に位置している。このため、挟持具５１は、載置台４１のパイプフレーム４２を手摺り３４に取り付けた際に、パイプフレーム４２において載せ面４３に載置される肥料袋Ｂとは反対側に位置するように構成されている。図３、図５（ｂ）、図６、図１２に示されるように、載置台４１を手摺り３４に取り付ける際に、後縦部４９に固定された上側の挟持具５１は、手摺り３４と支持枠３１とを連結する連結部４０を目印として利用して取り付けることができる。このため、連結部４０によって、手摺り３４に対して挟持具５１を取り付ける際の上下方向の位置決めが容易になっている。
【００４０】
〔燃料タンクの燃料補給口〕
図２、図３に示されるように、燃料タンク２７の燃料補給口２７ａは、載置台４１の横外端部に相当する前後部４４よりも機体内側で、かつ、搭乗ステップ２２よりも機体外側に配置されている。また、燃料補給口２７ａは、平面視において、載置台４１のパイプフレーム４２及び載せ面４３、後部ステップ２６及び搭乗ステップ２２、とは重複しない箇所に位置している。このため、載置台４１、後部ステップ２６及び搭乗ステップ２２が、燃料補給口２７ａへの給油作業の邪魔にならず、燃料補給口２７ａから燃料タンク２７への給油を好適に行うことができる。
【００４１】
〔施肥装置の具体構造〕
図２に示されるように、施肥装置１８は、左右両側の手摺り３４の間に配置されている。図３、図６、図７、図８、図１２に示されるように、施肥装置１８のホッパ２９には、上面が開口された本体５２と、後軸心Ｐ１周りに開閉して本体５２の上面を開閉可能な蓋体５３と、が備えられている。手摺り３４は、横外側から接近する障害物から施肥装置１８を保護するガード部材でもある。蓋体５３を開放することで本体５２内への肥料の投入が可能となる。図７〜図１０に示されるように、本体５２には、１条分の肥料を貯留する第一貯留部５４が２つと、２条分の肥料を貯留する２つの第二貯留部５５が備えられている。これら第一貯留部５４及び第二貯留部５５は、２つの第一貯留部５４の左右横外側にそれぞれ第二貯留部５５が位置するように左右方向に並んで連設されている。なお、図９は、ホッパ２９の蓋体５３の図示を省略している。
【００４２】
〔仕切り部材〕
ホッパ２９においては、第一貯留部５４では１条分の肥料が減少してゆき、第二貯留部５５では２条分の肥料が減少してゆく。第一貯留部５４と第二貯留部５５とは連通しており、肥料の行き来が可能になっている。このため、何らの対策をしない場合、第二貯留部５５の方が第一貯留部５４よりも早く肥料切れとなってしまうことも考えられる。このような事態を防止するために、図７〜図１０に示されるように、第一貯留部５４と第二貯留部５５との境界の近傍には、ホッパ２９内における肥料の体積比率を変更する仕切り部材５６が備えられている。
【００４３】
仕切り部材５６は、第一貯留部５４における第二貯留部５５に隣接する側の第一傾斜面５７上に配置されている。仕切り部材５６は、第一傾斜面５７上において、本体５２の前壁５８の内面と後壁５９の内面とに亘るようにされた板状の部材であり、図７、図８、図１０に示されるように、正面視において、逆向きの略Ｌ字状の形状とされている。
【００４４】
図９、図１０に示されるように、仕切り部材５６は、下面側に上下向きの４つのピン６０を有している。仕切り部材５６は、ホッパ２９の底面６１のうち第一貯留部５４の第一傾斜面５７に位置する上下向きの４つのボス６３に、４つのピン６０を嵌め込むことにより、本体５２に取り付け可能になっている。つまり、図８に示されるように、仕切り部材５６は、ホッパ２９の本体５２に対して着脱自在に取り付けられている。図９、図１０に示されるように、４つのボス６３のうち前側の２つは、本体５２の底面６１において前壁５８に近接する箇所に位置する。また、４つのボス６３のうち後側の２つのボス６３は、本体５２の底面６１において後壁５９に近接する箇所に位置する。これにより、本体５２内に貯留されている肥料を、ホッパ２９の長手方向に沿って、作業者の手や道具を用いて均す際に、４つのボス６３が邪魔にならず、このような均し作業を行って、ホッパ２９内の肥料を好適に分散させることができる。
【００４５】
図７、図８、図１０に示されるように、仕切り部材５６は、第一貯留部５４側へ肥料を流下案内するように傾斜した平面状の第一案内部６２と、第二貯留部５５側へ肥料を流下案内するように傾斜した平面上の第二案内部６４と、第一案内部６２と第二案内部６４とを繋ぐ頂部６５と、を有している。頂部６５は、第二貯留部５５側の第二流下開口６６よりも第一貯留部５４側の第一流下開口６７の方に近接している。第一案内部６２の水平面に対する傾斜角度は、第二案内部６４の水平面に対する傾斜角度よりも大きくなっている。第二案内部６４の水平面に対する傾斜角度は、第二貯留部５５における第一貯留部５４側の第二傾斜面６８の水平面に対する傾斜角度と略等しくなっている。第一案内部６２の水平面に対する傾斜角度は、第一貯留部５４における第二貯留部５５側の第一傾斜面５７の傾斜角度よりも大きくなっている。
【００４６】
これにより、仕切り部材５６の第二案内部６４によって、第一貯留部５４側に位置する肥料のうち仕切り部材５６の頂部６５よりも第二貯留部５５側に位置する肥料を、第二貯留部５５の第二流下開口６６側へ案内することができる。このため、２条分の肥料を消費する第二貯留部５５の第二流下開口６６側へ肥料を多く流下させるとともに、１条分の肥料を消費する第一貯留部５４の第一流下開口６７側へ肥料が過剰に流下しないようにできる。言い換えれば、仕切り部材５６は、第一流下開口６７へ流下する肥料の体積を減少させ、第二流下開口６６へ流下する肥料の体積を増加させる。これにより、第一貯留部５４における肥料の減少速度と第二貯留部５５における肥料の減少速度が均等に近づき、第二貯留部５５の方が第一貯留部５４よりも早く肥料切れになるという事態を防止できる。
【００４７】
〔仕切り部材の下側の隙間〕
図１０に示されるように、仕切り部材５６は、第一案内部６２との間に、上下方向に沿ったクリアランスＣが設けられている。クリアランスＣは、仕切り部材５６と第一案内部６２とが近接する上側の近接部と下側の近接部のうちの下側の近接部に設けられている。仕切り部材５６と第一案内部６２の間に、このようなクリアランスＣがあることにより、第一案内部６２と仕切り部材５６との間に粉状の肥料が入り込んでも、第一案内部６２と仕切り部材５６との間に肥料が堆積することがなく、第一流下開口６７に向けて肥料を好適に通過させることができる。
【００４８】
〔キャッチクリップと掛止具〕
図７、図１２に示されるように、蓋体５３を閉状態に維持するために、本体５２と蓋体５３には、弾性力によって本体５２と蓋体５３とを係合する２つの金属製のキャッチクリップ６９と、２つのキャッチクリップ６９の間に位置する掛止具７０と、が備えられている。キャッチクリップ６９は、パッチン錠とも呼ばれる。図１２に示されるように、キャッチクリップ６９は、本体５２側に固定された取付部６９ａと、取付部６９ａに回動自在に支持されている揺動部６９ｂと、揺動部６９ｂに揺動自在に支持されているばね部６９ｃと、ばね部６９ｃを掛止可能で、蓋体５３側に固定された掛止部６９ｄと、を有している。
【００４９】
〔突条〕
図１２に示されるように、本体５２の内部には、複数の縦向きのリブ状の突条７１が備えられている。複数の突条７１のうち２つは、前壁５８におけるキャッチクリップ６９に対応する箇所の表側、つまり、前壁５８におけるキャッチクリップ６９の裏側に配置されている。キャッチクリップ６９の裏側に縦向きの突条７１が設けられていることにより、キャッチクリップ６９の開閉動作によって、ばね部６９ｃにより発生する開閉の荷重に対して、透明樹脂製の本体５２の前壁５８の耐久性を確保できる。しかも、キャッチクリップ６９の裏側に突条７１が設けられているので、前壁５８が撓んでキャッチクリップ６９の係合が解除されるおそれを防止できる。さらに、図１２に示されるように、突条７１が縦向きであり、下方に位置するにつれて本体５２の内側に位置するので、本体５２内において、肥料が突条７１に滞留しにくくなっている。
【００５０】
〔倒れ防止フレーム〕
図３、図６、図１１に示されるように、施肥装置１８のホッパ２９の側方周囲には、倒れ防止フレーム７２が備えられている。倒れ防止フレーム７２は、左右両側の手摺り３４に連結されて支持されている。倒れ防止フレーム７２は、ホッパ２９の両横側及び前側に亘る前倒れ防止部材７３と、前倒れ防止部材７３に連結され、ホッパ２９の後側に亘る後倒れ防止部材７４と、が備えられている。
【００５１】
図１２に示されるように、後倒れ防止部材７４は、連結部材７５を介して手摺り３４に連結されている。後倒れ防止部材７４の左右両端部は、前後方向を向くように屈曲されている。後倒れ防止部材７４の左右両端部には、前後方向に長い長孔７６が前後方向に並んで２つ設けられている。連結部材７５に対して長孔７６におけるボルト等の締結部材の締結位置を調整することにより、後倒れ防止部材７４は、長孔７６によって手摺り３４に対して前後方向に位置調整が可能とされている。後倒れ防止部材７４を前後に位置調整すると、後倒れ防止部材７４に伴って前倒れ防止部材７３も前後に位置調整される。
【００５２】
図１１に示されるように、ホッパ２９における本体５２の前壁５８の外面と、前倒れ防止部材７３との間には、前後方向の第一隙間Ｔ１が設けられている。ホッパ２９における本体５２の後壁５９と、後倒れ防止部材７４との間には、前後方向の第二隙間Ｔ２が設けられている。第一隙間Ｔ１には、例えばゴム板からなる複数の緩衝部材７７が、前壁５８と前倒れ防止部材７３との間に挟み込まれて配置されている。また、第二隙間Ｔ２には、例えばゴム板等からなる複数の緩衝部材７７が、後壁５９との間に挟み込まれて配置されている。
【００５３】
このように、ホッパ２９と倒れ防止フレーム７２との間に緩衝部材７７を配置してあるので、倒れ防止フレーム７２からの振動がホッパ２９に伝達されることを防止しつつ、倒れ防止フレーム７２によりホッパ２９が倒れないようにできる。
【００５４】
〔別実施形態〕
（１）上記実施形態では、載置台４１が後部ステップ２６の右横隣側に備えられたものを一例に示したが、これに限られない。例えば、後部ステップ２６の左隣側に載置台が備えられていたり、後部ステップ２６の右隣側及び左隣側の両方に左右一対で載置台が備えられていてもよい。
【００５５】
（２）上記実施形態では、載置台４１が手摺り３４に支持されているものを一例に示したが、これに限られない。例えば、載置台４１が、機体フレーム２８に支持されていてもよい。
【００５６】
（３）上記実施形態では、「肥料収容体」の一例として、柔軟性を有する素材からなる肥料袋Ｂを示したが、これに限られない。例えば、硬質な素材からなる箱状の肥料コンテナ等の他の肥料収容体であってもよい。
【００５７】
（４）上記実施形態では、「フレーム」の一例として、繰り出し装置３０を支持する支持枠３１を示したが、これに限られない。例えば、機体フレーム２８のうち機体左右向きの部位等の他の「フレーム」であってもよい。
【００５８】
（５）上記実施形態では、「取付具」の一例として、載置台４１に固定されたＵ字状の挟持具５１を示したが、これに限られない。例えば、掛止部材と、掛止部材を掛止可能な被掛止部材とで対となる掛止具等の他の「取付具」であってもよい。この場合、載置台４１及び手摺り３４のうちいずれか一方に掛止部材が設けられ、載置台４１及び手摺り３４のうちいずれか一方に被掛止部材が設けられる。
【００５９】
（６）上記実施形態では、端部を突き合わせたループ状の形状のパイプフレーム４２と、パイプフレーム４２に支持され、肥料袋Ｂを載置可能とする平板状の載せ面４３と、を有する載置台４１を一例に示したが、これに限られない。例えば、Ｌ字状に屈曲した板材からなる載置台４１であってもよい。
【００６０】
（７）上記実施形態では、１条分の肥料を貯留する第一貯留部５４が２つと、２条分の肥料を貯留する２つの第二貯留部５５が備えられている本体５２において、第一貯留部５４と第二貯留部５５との境界の近傍に、ホッパ２９内における肥料の体積比率を変更する仕切り部材５６が備えられているものを一例に示したが、これに限られない。仕切り部材５６は、異なる容積を有する貯留部間の境界の近傍に備えることができる。例えば、２条分の肥料を貯留する他の第一貯留部と、３条分の肥料を貯留する他の第二貯留部が備えられている他の本体において、他の第一貯留部と他の第に貯留部との境界の近傍に、仕切り部材５６が備えられていてもよい。
【００６１】
（８）上記実施形態では、平面状の第一案内部６２及び第二案内部６４を有する仕切り部材５６を一例に示したが、これに限られない。例えば、図１３、図１４に示されるように、漏斗状であり、第一貯留部５４側へ張り出すように湾曲した形状とされている他の仕切り部材１５６であってもよい。また、他の仕切り部材１５６は、中央の上端に切り欠き部１５７を有している。ホッパ２９の長手方向に肥料を均す作業を行うときに、切り欠き部１５７に手や道具を通過させることができるので、他の仕切り部材１５６が邪魔にならない。なお、他の仕切り部材１５６が切り欠き部１５７を有していなくてもよい。
【産業上の利用可能性】
【００６２】
本発明は、上記した乗用型田植機の他、圃場に種籾を播種する乗用型直播機等の他の水田作業機にも利用可能である。
【符号の説明】
【００６３】
１３    ：走行機体
１８    ：施肥装置
２０    ：運転座席
２２    ：搭乗ステップ
２６    ：後部ステップ
２７    ：燃料タンク
２７ａ  ：燃料補給口
３１    ：支持枠（フレーム）
３４    ：手摺り
４０    ：連結部
４１    ：載置台
４２    ：パイプフレーム
４３    ：載せ面
５１    ：挟持具（取付具）
Ｂ      ：肥料袋（肥料収容体）
【図１】
2015107077.tif 000003
【図２】
2015107077.tif 000004
【図３】
2015107077.tif 000005
【図４】
2015107077.tif 000006
【図５】
2015107077.tif 000007
【図６】
2015107077.tif 000008
【図７】
2015107077.tif 000009
【図８】
2015107077.tif 000010
【図９】
2015107077.tif 000011
【図１０】
2015107077.tif 000012
【図１１】
2015107077.tif 000013
【図１２】
2015107077.tif 000014
【図１３】
2015107077.tif 000015
【図１４】
2015107077.tif 000016